(57)【要約】      （修正有）【課題】停電や故障などの原因でエレベーターが稼動できないときに、エレベーターを最寄りの階層のエレベータードアに合せて停止して利用者がエレベーターの篭から脱出できるエレベーター用補助避難装置を提供する。【解決手段】エレベーターの篭の上端に設けられ、支持ブロック３を有し、支持ブロックの上端にワイヤロープ４１が連結されており、ワイヤロープの他端がエレベーター動力源に巻き付けられているエレベーター用補助避難装置において、エレベーター用補助避難装置には、エレベーターの篭の上端に結合されるフレーム２１が設けられ、フレームの上端に係止ブロック２２が枢着され、係止ブロックの外端に係止歯部２２１が形成され、係止歯部が係止ブロック減速ギアユニット内のギアと噛合い、これにより、係止ブロックが係止ブロック減速ギアユニット２３に定着され、係止ブロック減速ギアユニットに応じて係止ブロック動力源が設けられる。【選択図】図２
0003165461.tif 000002
【実用新案登録請求の範囲】
【請求項１】
エレベーターの篭の上端に設けられたエレベーター用補助避難装置であって、支持ブロックを有し、前記支持ブロックの上端にワイヤロープが連結されており、前記ワイヤロープの他端がエレベーター動力源に巻き付けられているエレベーター用補助避難装置において、
前記エレベーター用補助避難装置には、エレベーターの篭の上端に結合されるフレームが設けられ、前記フレームの上端に係止ブロックが枢着され、前記係止ブロックの外端に係止歯部が形成され、前記係止歯部が係止ブロック減速ギアユニット内のギアと噛合い、これにより、前記係止ブロックが前記係止ブロック減速ギアユニットに定着され、前記係止ブロック減速ギアユニットに応じて係止ブロック動力源が設けられ、前記係止ブロック減速ギアユニットは前記係止ブロック動力源に駆動されることができ、前記フレームの下端に巻上ホイールが枢着され、前記巻上ホイールに連接具が巻き付けられており、前記巻上ホイールに応じて巻上ホイール減速ギアユニットが設けられ、前記巻上ホイールが前記巻上ホイール減速ギアユニットに定着され、前記巻上ホイール減速ギアユニットに応じて巻上ホイール動力源が設けられ、前記巻上ホイール減速ギアユニットが前記巻上ホイール動力源に駆動されることができ、
前記支持ブロックの上端には、他端が前記エレベーター動力源に巻き付けられている前記ワイヤロープが連結されており、前記支持ブロックに係止穴が設けられ、前記係止穴に前記エレベーター用補助避難装置の前記係止ブロックを係止して固定可能であり、前記支持ブロックには、前記エレベーター用補助避難装置の前記巻上ホイールに巻き付けられている前記連接具の他端が連結されていることを特徴とするエレベーター用補助避難装置。
【請求項２】
前記連接具はチェーンであることを特徴とする、請求項１に記載のエレベーター用補助避難装置。
【請求項３】
前記連接具の長さは一階の高さに相当することを特徴とする、請求項１に記載のエレベーター用補助避難装置。
【考案の詳細な説明】
【技術分野】
【０００１】
本考案は、エレベーター用補助避難装置に関し、特に、停電や故障などの原因でエレベーターが稼動できないときに、エレベーターを最寄りの階層のエレベータードアに合せて停止して利用者がエレベーターの篭から脱出でき、そしてエレベーターの上昇の回復および位置を容易に制御できるエレベーター用補助避難装置に関するものである。
【背景技術】
【０００２】
現在、人口がどんどん多くなるため、建築物の高さも高くなる。高い階層に着くことを容易にするために、建築物にエレベーターを設置することが一般になった。一般のエレベーターは、エレベーターの篭の上端にワイヤロープが巻き付けられているワイヤロープホイールが複数設けられ、前記ワイヤロープは、一端が固定端として機械室に固定され、他端がモータのホイールを経由して釣合錘に連結され、前記モータの駆動によりエレベーターの篭が上下に移動できる。
【０００３】
しかし、従来のエレベーターにより利用者が行きたい階層に着くことができるが、停電や故障などの原因でエレベーターが稼動できないときには、エレベーターの篭が二つの階層の間に急に停止する可能性があるため、エレベーターの篭内にいる利用者を容易に救出することができない。このとき、電力の供給を回復し、又は故障を排除しないと、エレベーターの篭は最寄りの階層のエレベーターの階層に停止してドアを開けることができないため、救援が極めて不便であった。
【考案の概要】
【考案が解決しようとする課題】
【０００４】
本考案の主な目的は、停電や故障などの原因でエレベーターが稼動できないときに、エレベーターを最寄りの階層のエレベータードアに合せて停止して利用者がエレベーターの篭から脱出でき、そしてエレベーターの上昇の回復および位置を容易に制御できるエレベーター用補助避難装置を提供することにある。
【課題を解決するための手段】
【０００５】
本考案のエレベーター用補助避難装置によると、エレベーターの篭の上端に設けられ、支持ブロックを有し、前記支持ブロックの上端にワイヤロープが連結されており、前記ワイヤロープの他端がエレベーター動力源に巻き付けられているエレベーター用補助避難装置において、前記エレベーター用補助避難装置には、エレベーターの篭の上端に結合されるフレームが設けられ、前記フレームの上端に係止ブロックが枢着され、前記係止ブロックの外端に係止歯部が形成され、前記係止歯部が係止ブロック減速ギアユニット内のギアと噛合い、これにより、前記係止ブロックが前記係止ブロック減速ギアユニットに定着され、前記係止ブロック減速ギアユニットに応じて係止ブロック動力源が設けられ、前記係止ブロック減速ギアユニットは前記係止ブロック動力源に駆動されることができ、前記フレームの下端に巻上ホイールが枢着され、前記巻上ホイールに連接具が巻き付けられており、前記巻上ホイールに応じて巻上ホイール減速ギアユニットが設けられ、前記巻上ホイールが前記巻上ホイール減速ギアユニットに定着され、前記巻上ホイール減速ギアユニットに応じて巻上ホイール動力源が設けられ、前記巻上ホイール減速ギアユニットが前記巻上ホイール動力源に駆動されることができ、前記支持ブロックの上端には、他端が前記エレベーター動力源に巻き付けられている前記ワイヤロープが連結されており、前記支持ブロックに係止穴が設けられ、前記係止穴に前記エレベーター用補助避難装置の前記係止ブロックを係止して固定可能であり、前記支持ブロックには、前記エレベーター用補助避難装置の前記巻上ホイールに巻き付けられている前記連接具の他端が連結されていることを特徴とする。
【０００６】
本考案のエレベーター用補助避難装置によると、前記連接具はチェーンであることを特徴とする。
【０００７】
本考案のエレベーター用補助避難装置によると、前記連接具の長さは一階の高さに相当することを特徴とする。
【考案の効果】
【０００８】
本考案のエレベーター用補助避難装置によれば、停電や故障などの原因でエレベーターが稼動できないときに、エレベーターを最寄り階層のドアに合せて停止して利用者がエレベーターの篭から脱出でき、そしてエレベーターの上昇の回復および位置を容易に制御できるという効果を有する。
【図面の簡単な説明】
【０００９】
【図１】本考案の全体の構成を示す模式図である。
【図２】本考案の分解斜視図である。
【図３】本考案の組合済み状態の斜視図である。
【図４】本考案の側面断面図である。
【図５】本考案の使用状態を示す模式図である。
【図６】本考案の使用状態を示す模式図である。
【考案を実施するための形態】
【００１０】
以下、本考案の実施の形態を図面に基づいて説明する。
まず、図１を参照する。本考案の一実施例のエレベーター用補助避難装置は、エレベーターの篭１の上端に設けられ、支持ブロック３を有し、支持ブロック３の上端にワイヤロープ４１が連結されており、ワイヤロープ４１の他端がエレベーター動力源４に巻き付けられている。各階層には、篭１のドア１１に対応するエレベータードア５が設けられる。図２乃至図４を参照する。図２は本考案の分解斜視図であり、図３は本考案の組合済み状態の斜視図であり、図４は本考案の側面断面図である。
【００１１】
エレベーター用補助避難装置２には、エレベーターの篭１の上端に結合されるフレーム２１が設けられる。フレーム２１の上端に係止ブロック２２が枢着され、係止ブロック２２の外端に係止歯部２２１が形成され、係止歯部２２１が係止ブロック減速ギアユニット２３内のギアと噛合う。これにより、係止ブロック２２が係止ブロック減速ギアユニット２３に定着される。係止ブロック減速ギアユニット２３に応じて係止ブロック動力源２４が設けられる。これにより、係止ブロック減速ギアユニット２３は係止ブロック動力源２４に駆動される。フレーム２１の下端に巻上ホイール２５が枢着され、巻上ホイール２５に連接具２５１が巻き付けられている。連接具２５１はチェーンでもよい。連接具２５１の長さは一階の高さに相当する。巻上ホイール２５に応じて巻上ホイール減速ギアユニット２６が設けられ、巻上ホイール２５が巻上ホイール減速ギアユニット２６に定着される。巻上ホイール減速ギアユニット２６に応じて巻上ホイール動力源２７が設けられ、これにより、巻上ホイール減速ギアユニット２６が巻上ホイール動力源２７に駆動される。
【００１２】
支持ブロック３の上端には、他端がエレベーター動力源４に巻き付けられているワイヤロープ４１が連結されている。支持ブロック３に係止穴３１が設けられ、係止穴３１にエレベーター用補助避難装置２の係止ブロック２２を係止して固定可能である。支持ブロック３には、エレベーター用補助避難装置２の巻上ホイール２５に巻き付けられている連接具２５１の他端が連結されている。
【００１３】
図５及び図６を参照しながら本考案の一実施例のエレベーター用補助避難装置の使用状態を説明する。エレベーターの篭１の動力が無くなる場合には、補助電源により係止ブロック動力源２４が駆動されて係止ブロック減速ギアユニット２３が回転し、且つ係止ブロック２２は、係止歯部２２１で係止ブロック減速ギアユニット２３と噛合うため、係止ブロック減速ギアユニット２３の回転に従って支持ブロック３の係止穴３１との係止が解除され、このとき、重力によりエレベーターの篭１が降下する。エレベーター用補助避難装置２は巻上ホイール２５に巻き付けられている連接具２５１で支持ブロック３と連結し、巻上ホイール２５が巻上ホイール減速ギアユニット２６に定着されるため、巻上ホイール２５がゆっくり回転して連接具２５１を放出し、降下しているエレベーターの篭１が最寄りの階層のエレベータードア５のセンサーにタッチすると、エレベーターの篭１の移動が停止する。そうすると、エレベーターの篭１のドア１１とエレベータードア５との開放が便利になり、エレベーターの利用者を容易に救援できる。
【００１４】
エレベーターの篭１を回復して支持ブロック３と結合したいときには、巻上ホイール動力源２６の駆動により、巻上ホイール減速ギアユニット２６を逆転し、そうすると、巻上ホイール２５が連接具２５１を巻き取り、エレベーターの篭１が上に移動して支持ブロック３に着き、このとき、係止ブロック動力源２４の駆動により、係止ブロック減速ギアユニット２３を逆転し、そうすると、係止ブロック減速ギアユニット２３の逆転に従って係止ブロック２２が支持ブロック３の係止穴３１に再び係止する。
【００１５】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００１６】
１：篭
２：エレベーター用補助避難装置
３：支持ブロック
４：エレベーター動力源
５：エレベータードア
１１：ドア
２１：フレーム
２２：係止ブロック
２３：係止ブロック減速ギアユニット
２４：係止ブロック動力源
２５：巻上ホイール
２６：巻上ホイール減速ギアユニット
２７：巻上ホイール動力源
３１：係止穴
４１：ワイヤロープ
２２１：係止歯部
２５１：連接具
【図１】
0003165461.tif 000003
【図２】
0003165461.tif 000004
【図３】
0003165461.tif 000005
【図４】
0003165461.tif 000006
【図５】
0003165461.tif 000007
【図６】
0003165461.tif 000008